(57)【要約】【課題】カップリングレンズを用いた光学系の場合において、第２のレーザダイオードに対するＸ軸方向、Ｙ軸方向の調整後の像高特性を改善すること。【解決手段】第２のレーザダイオード（１２）とカップリングレンズ（１９）とを１つのホルダ（４２）に入れて一体とし、そのホルダ（４２）自体を光学ベース（５０）に対してＸ軸方向、Ｙ軸方向、Ｚ軸方向に調整可能とした。【選択図】        図３
2004227659.tif 000002
【特許請求の範囲】
【請求項１】
光学ベースと、
互いに異なる第１および第２の波長を持つ第１および第２のレーザ光を、それぞれ、出射する第１および第２のレーザダイオードと、
前記第１又は第２のレーザ光である発散光を平行光にするコリメータレンズと、
該コリメータレンズの焦点距離を調整するために、前記第２のレーザダイオードの出射側に配置されたカップリングレンズと、
前記第２のレーザダイオードと前記カップリングレンズとを保持するホルダと、
を備え、該ホルダを前記光学ベースに対して、Ｘ軸方向、Ｙ軸方向、Ｚ軸方向に調整可能にしたことを特徴とする２波長対応光ピックアップ装置。
【請求項２】
前記第２のレーザ光を３ビームに分ける回折格子を備え、前記ホルダは該回折格子をも保持することを特徴とする、請求項１に記載の２波長対応光ピックアップ装置。
【請求項３】
前記第１のレーザダイオードがＤＶＤ用のレーザダイオードであり、前記第２のレーザダイオードがＣＤ用のレーザダイオードである、請求項１又は２に記載の２波長対応光ピックアップ装置。
【請求項４】
前記ホルダと前記光学ベースとが金属製である、請求項１から３のいずれか１つに記載の２波長対応光ピックアップ装置。
【請求項５】
レーザダイオードと、カップリングレンズと、前記レーザダイオードと前記カップリングレンズとを保持するホルダと、を有するレーザダイオードユニット。
【請求項６】
前記レーザダイオードがＣＤ用のレーザダイオードである、請求項５に記載のレーザダイオードユニット。
【請求項７】
前記ホルダが金属製である、請求項５又は６に記載のレーザダイオードユニット。
【請求項８】
レーザダイオードと、カップリングレンズと、回折格子と、前記レーザダイオードと前記カップリングレンズと前記回折格子とを保持するホルダと、を有するレーザダイオードユニット。
【請求項９】
前記レーザダイオードがＣＤ用のレーザダイオードである、請求項８に記載のレーザダイオードユニット。
【請求項１０】
前記ホルダを光軸方向に摺動可能に保持する筒状筐体と、該筒状筐体と前記ホルダとの間に設けられて前記ホルダを前記筒状筐体に対して前記光軸方向に移動可能にするねじと、を更に有する請求項８又は９に記載のレーザダイオードユニット。
【請求項１１】
前記ホルダと前記筒状筐体とが金属製である、請求項１０に記載のレーザダイオードユニット。
【発明の詳細な説明】
【０００１】
【発明の属する技術分野】
本発明は、記録密度の異なる２種類の光ディスクを記録・再生するための光ピックアップ装置に関する。このような光ピックアップ装置は、互いに波長の異なる２種類のレーザ光を使い分けて光学的記録媒体（光ディスク）に対する記録・再生を行なうので、２波長対応光ピックアップ装置とも呼ばれる。
【０００２】
【従来の技術】
記録密度の異なる２種類の光ディスクとしては、例えば、ＤＶＤ（ディジタルビデオディスク）とＣＤ（コンパクトディスク）との組み合せからなるものや、ＤＶＤとＢｌｕｅ−ｒａｙとの組み合せからなるものが考えられる。ここでは、ＤＶＤとＣＤとの組み合わせからなるものについて説明するが、ＤＶＤとＢｌｕｅ−ｒａｙとの組み合せからなるものにも同様に適用させるのは言うまでもない。
【０００３】
周知のように、ＤＶＤプレーヤにおいては、ＤＶＤとＣＤとのいずれに対しても記録・再生可能にするために特別の光ピックアップ装置が搭載されたものが存在している。そのような特別の光ピックアップ装置は、ＤＶＤ用の短波長レーザ光（波長約６５０ｎｍ）とＣＤ用の長波長レーザ光（波長約７８０ｎｍ）との２種類のレーザ光を使い分けて記録・再生を行なうものであり、２波長対応光ピックアップ装置と呼ばれている。
【０００４】
この種の２波長対応光ピックアップ装置は、ＤＶＤ用の短波長レーザ光を出射するためのＤＶＤ用のレーザダイオード（ＬＤ）と、ＣＤ用の長波長レーザ光を出射するためのＣＤ用のレーザダイオード（ＬＤ）とを備えている。
【０００５】
以下、図１を参照して、従来の２波長対応光ピックアップ装置について説明する。図１は２波長対応光ピックアップ装置の光学系のシステム構成図（光路図）である。尚、この例では、光学的記録媒体（光ディスク）が水平に置かれた場合を例に挙げて説明するが、垂直（鉛直）に置かれても良いのは勿論である。尚、図１では、上下を逆にして図示している。尚、光ディスクを単にディスクと呼ぶ場合もある。
【０００６】
図示の２波長対応光ピックアップ装置は、第１の波長を持つ第１のレーザ光を出射するＤＶＤ用の第１のレーザダイオード１１と、第１の波長とは異なる第２の波長を持つ第２のレーザ光を出射するＣＤ用の第２のレーザダイオード１２と、第１および第２の回折格子（グレーティング）１６および１７と、カップリングレンズ１９と、第１および第２の波長選択偏光ビームスプリッタ２１および２２と、広帯域１／４波長板２４と、全反射ミラー２６と、コリメータレンズ２８と、対物レンズ３０と、検出レンズ３２と、受光素子（光検出器）３４とを備えている。
【０００７】
第１の回折格子１６、第１の波長選択偏光ビームスプリッタ２１、広帯域１／４波長板２４、全反射ミラー２６、コリメータレンズ２８、対物レンズ３０、第２の波長選択偏光ビームスプリッタ２２、および検出レンズ３２の組み合わせは、第１のレーザダイオード１１から出射された第１のレーザ光を光ディスク４０側へ導くとともに、この光ディスク４０側から反射された第１の戻り光を透過して光検出器３４へ導く第１の光学系として働く。同様に、カップリングレンズ１９、第２の回折格子１７、第２の波長選択偏光ビームスプリッタ２２、第１の波長選択偏光ビームスプリッタ２１、広帯域１／４波長板２４、全反射ミラー（立上げミラー）２６、コリメータレンズ２８、対物レンズ３０、および検出レンズ３２の組み合わせは、第２のレーザダイオード１２から出射された第２のレーザ光を光ディスク４０Ａ側へ導くとともに、この光ディスク４０Ａ側から反射された第２の戻り光を透過して光検出器３４へ導く第２の光学系として働く。
【０００８】
次に、各光学要素の作用（働き）について説明する。
【０００９】
第１のレーザダイオード１１は、第１の波長としてＤＶＤ用の波長約６５０ｎｍを持つ第１のレーザ光を出射するレーザダイオードであって、「ＤＶＤ−ＬＤ」と略称される。第２のレーザダイオード１２は、第２の波長としてＣＤ用の波長約７８０ｎｍを持つ第２のレーザ光を出射するレーザダイオードであって、「ＣＤ−ＬＤ」と略称される。第１の回折格子１６は、第１のレーザダイオード１１から出射された１本の第１のレーザ光を３本のレーザ光（中央の光束とその両側の２本の光束）に分離するためのものである。同様に、第２の回折格子１７は、第２のレーザダイオードＬＤ２から出射された１本の第２のレーザ光を３本のレーザ光（中央の光束とその両側の２本の光束）に分離するためのものである。
【００１０】
カップリングレンズ１９は、後述するように、焦点距離を調節するためのものである。
【００１１】
第１の波長選択偏光ビームスプリッタ２１は、第１の回折格子１６を介して入射した３本の第１のレーザ光を反射すると共に、後述するように、光ディスク４０からの反射光を透過するためのものである。同様に、第２の波長選択偏光ビームスプリッタ２２は、第２の回折格子１７を介して入射した３本の第２のレーザ光を反射透過すると共に、後述するように、光ディスク４０又は４０Ａからの反射光を透過するためのものである。尚、第１の波長選択偏光ビームスプリッタ２１は、第２の波長選択偏光ビームスプリッタ２２から反射されたレーザ光を透過して、コリメータレンズ２８側へ出射する機能をも果たす。
【００１２】
とにかく、第１および第２の波長選択偏光ビームスプリッタ２１および２２の組み合わせは、第１のレーザダイオード１１から出射された第１のレーザ光又は第２のレーザダイオード１２から出射された第２のレーザ光を同一の光軸上へ反射する光軸一致手段として働く。
【００１３】
広帯域１／４波長板２４は、直線偏光と円偏光との間で偏光方向を変える手段として働く。全反射ミラー２６は、広帯域１／４波長板２４からのレーザ光を直角に折り曲げて反射するためのものである。コリメータレンズ２８は、全反射ミラー２６で反射されたレーザ光を平行光に変換するためのものである。対物レンズ３０はコリメータレンズ２８からの平行光を光ディスク４０又は４０Ａ上へ照射するためのものである。
【００１４】
尚、光ディスク４０又は４０Ａで反射された反射光（戻り光）は、後述するように、検出レンズ３２を介して光検出器３４で受光される。
【００１５】
ここで、第１の波長選択偏光ビームスプリッタ２１は、波長約６５０ｎｍの光に対してはＳ偏光を反射し、Ｐ偏光を透過する特性を持つが、波長約７８０ｎｍの光に対しては偏光方向に関係なく透過率１００％の特性を持っている。一方、第２の波長選択偏光ビームスプリッタ２２は、波長約６５０ｎｍの光に対しては偏光方向に関係なく透過率１００％の透過率の特性を持っているが、波長約７８０ｎｍの光に対してはＳ偏光を反射し、Ｐ偏光を透過する特性を持っている。
【００１６】
次に、図１に示した従来の２波長対応光ピックアップ装置の動作について説明する。最初に、光ディスクとしてＤＶＤ４０を使用した場合の動作について説明し、その後で、光ディスクとしてＣＤ４０Ａを使用した場合の動作について説明する。
【００１７】
光ディスクがＤＶＤ４０である場合、第１のレーザダイオード１１（ＤＶＤ−ＬＤ）のみが動作状態に置かれ、第２のレーザダイオード１２（ＣＤ−ＬＤ）は非動作状態に置かれる。したがって、第１のレーザダイオード１１のみが第１のレーザ光を出射している。
【００１８】
ＤＶＤ用の第１のレーザダイオード１１から出射された直線偏光（Ｓ偏光）の第１のレーザ光は、第１の回折格子１６を通り、ここでトラッキング制御を行うための３本のレーザ光に分離される。その後、第１の波長選択偏光ビームスプリッタ２１に入射する。この第１の波長選択偏光ビームスプリッタ２１に入射したＳ偏光の第１のレーザ光は、その光路が９０°曲げられる（すなわち、反射される）。この第１の波長選択偏光ビームスプリッタ２１で反射されたＳ偏光の第１のレーザ光は、広帯域１／４波長板２４を透過し、ここで、直線偏光（Ｓ偏光）から円偏光に変換される。この円偏光の第１のレーザ光は、全反射ミラー２６で上部方向に反射される。この全反射ミラー２６を反射したレーザ光は、コリメータレンズ２８を透過すると、発散光であったレーザ光が平行光にされて、対物レンズ３０に入射する。この対物レンズ３０を透過したレーザ光は、ここで収束されて、光ディスク（ＤＶＤ）４０の記録面に照射される（集光される）。
【００１９】
尚、この技術分野で周知のように、２波長対応光ピックアップ装置は、書込みモードと再生モードとのいずれか一方のモードで動作する。書込みモードの場合には、以上の説明で動作が終了する。それに対して、再生モードの場合には、さらに、次の動作が行われる。
【００２０】
この光ディスク（ＤＶＤ）４０の記録面からの反射光（第１の戻り光）は、対物レンズＯＬを通過し、コリメータレンズ２８を透過した後、収束光になる。この収束光は、全反射ミラー２６で反射された後、再度、広帯域１／４波長板２４を通ることで、円偏光が直線偏光（Ｐ偏光）に変換される。このＰ偏光は、第１の波長選択偏光ビームスプリッタ２１を透過する。この第１の波長選択偏光ビームスプリッタ２１を透過したＰ偏光は、第２の波長選択偏光ビームスプリッタ２２および検出レンズ３２を透過した後、光検出器３４に集光する（で受光される）。
【００２１】
次に、光ディスクがＣＤ４０Ａである場合、第２のレーザダイオード１２（ＣＤ−ＬＤ）のみが動作状態に置かれ、第１のレーザダイオード１１（ＤＶＤ−ＬＤ）は非動作状態に置かれる。したがって、第２のレーザダイオード１２のみが第２のレーザ光を出射している。
【００２２】
ＣＤ用の第２のレーザダイオード１２から出射された直線偏光（Ｓ偏光）の第２のレーザ光は、カップリングレンズ１９を透過し、第２の回折格子１７で３本のレーザ光に分離された後、第２の波長選択偏光ビームスプリッタ２２に入射する。この第２の波長選択偏光ビームスプリッタ２２に入射したＳ偏光の第２のレーザ光は、その光路が９０°曲げられる（すなわち、反射される）。第２の波長選択偏光ビームスプリッタ２２で反射された第２のレーザ光は、第１の波長選択偏光ビームスプリッタ２１を透過し、広帯域１／４波長板２４を透過し、ここで、直線偏光（Ｓ偏光）から円偏光に変換される。この円偏光の第２のレーザ光は、全反射ミラー２６で上部方向に反射される。この全反射ミラー２６を反射したレーザ光は、コリメータレンズ２８を透過すると、発散光であったレーザ光が平行光にされて、対物レンズ３０に入射する。この対物レンズ３０を透過したレーザ光は、ここで収束されて、光ディスク（ＣＤ）４０Ａの記録面に照射される（集光される）。
【００２３】
この光ディスク（ＣＤ）４０Ａの記録面からの反射光（第２の戻り光）は、鉛直下方向へ進み、対物レンズ３０を通過し、コリメータレンズ２８を透過した後、収束光になる。この収束光は、全反射ミラー２６で反射され、再度、広帯域１／４波長板２４を通ることで、円偏光が直線偏光（Ｐ偏光）に変換される。このＰ偏光は、第１および第２の波長選択偏光ビームスプリッタ２１および２２を透過する。この第２の波長選択偏光ビームスプリッタ２２を透過したレーザ光は、検出レンズ３２を透過した後、光検出器３４に集光する（で受光される）。
【００２４】
ＤＶＤ４０およびＣＤ４０Ａに対して再生のみならず記録を行う場合には、対物レンズ３０先のスポットサイズの最適化は勿論のこと、記録に必要な対物レンズ３０先の光量を確保する必要があり、光学系も独立して最適化させる必要がある。
【００２５】
図１に示した従来の２波長対応光ピックアップ装置では、カップリングレンズ１９は、光学ベース（図示せず）に予め固定されている。そして、第２のレーザダイオード１２単体は専用のホルダ（図示せず）に固定し、光学ベースに対して第２のレーザダイオード１２をＸ軸、Ｙ軸、Ｚ軸方向にそれぞれ動かせるようにしている。
【００２６】
しかしながら、完全に異なるディスク仕様に合わせた光学系を独立させるとすると、コスト高になるばかりでなく、スペース効率も悪くなる。そこで、図１に示されるように、対物レンズ３０、全反射ミラー２６、広帯域１／４波長板２４などを共通化させる方法が一般に採用されている。
【００２７】
しかしながら、図２（ａ）に示されるように、記録密度が高いディスク（例えば、ＤＶＤ）４０は、ディスク４０上のスポットサイズを小さくする必要があるため、第１のレーザダイオード１１の波長を短く、対物レンズ３０のＮＡ（開口数）を大きくする必要がある。
【００２８】
また、無限光学系の場合は、コリメータレンズ２８の焦点距離は重要なポイントである。コリメータレンズ２８の焦点距離を長くすると、リム見込み角が小さくなるため、ディスク４０上でのスポットサイズは小さくなるが、対物レンズ３０からの出射光量は少なくなる。また、コリメータレンズ２８の焦点距離はレーザダイオードのＦＦＰ（ファーフィールドパターン）を考慮に入れる必要がある。
【００２９】
一方、図２（ｂ）に示されるように、記録密度が低いディスク（例えば、ＣＤ）４０Ａは、対物レンズ２８のＮＡの差などから、対物レンズ２８からの出射光量が少なくなる。
【００３０】
図２において、α＞βの場合、α’＞β’となり、対物レンズ３０に入射する光量は、記録密度が低いメディア４０Ａの方が少なくなる。
【００３１】
そこで、一般に記録密度が低いディスク４０Ａでは、次の２通りの方法が提案されている。
【００３２】
（１）２種類の記録密度のディスク４０および４０Ａに合わせて、別々のコリメータレンズを用いて、ディスク上で最適なスポットサイズにし、記録密度が低いディスク仕様（例えば、ＣＤ）の対物レンズ３０先の出射光量を多くする方法。
【００３３】
（２）図１に図示したように、カップリングレンズ１９を第２のレーザダイオード１２とコリメータレンズ２８との間に挿入して、カップリングレンズ１９とコリメータレンズ２８とを合わせた焦点距離がコリメータレンズ２８単体の焦点距離よりも短くして、対物レンズ３０からの出射光量を多くする方法。
【００３４】
次に、図１に示した従来の２波長対応光ピックアップ装置の組立て、調整方法についての一例を説明する。
【００３５】
▲１▼  ２種類の記録密度のディスク４０および４０Ａに対応した光学系の共通部品（例えば、偏光ビームスプリッタ２１，２２、波長板２４、立上げミラー２６、検出レンズ３２）は予め光学ベースに接着剤で固定する。
【００３６】
▲２▼  記録密度の高いディスク（例えば，ＤＶＤ）４０に用いる第１のレーザダイオード１１を光学ベースに取り付け、コリメータレンズ２８から出射光の光軸傾き、光線の平行度を光学的又は電気的に確認しながら最適な位置となるように、第１のレーザダイオード１１のＸ軸方向、Ｙ軸方向、Ｚ軸方向、θＸ、θＹの何れかを調整して、第１のレーザダイオード１１を光学ベースに固定する。
【００３７】
▲３▼  対物レンズ３０を搭載したアクチュエータユニット（図示せず）と光検出器３４を光学ベースに組み込み、アクチュエータユニットのスキュー調整、フォトダイオードのＸ軸方向，Ｙ軸方向，Ｚ軸方向の調整を行う。通常は、フォーカスサーボ、トラッキングサーボをかけた状態で、ジッターの最良点となるように調整を行う。
【００３８】
▲４▼  記録密度の低いディスク（例えば、ＣＤ）４０Ａに用いる第２のレーザダイオード１２とコリメータレンズ２８若しくはカップリングレンズ１９を光学ベースに取り付け、第２のレーザダイオード１２のＸ軸方向，Ｙ軸方向，Ｚ軸方向の調整を行い、▲３▼と同様にジッターの最良点となるように調整を行う。
【００３９】
【発明が解決しようとする課題】
しかしながら、図１に図示したカップリングレンズ１９を用いた光学系の場合、▲４▼の記録密度の低いディスク（例えば、ＣＤ）４０Ａに用いる第２のレーザダイオード１２に対してＸ軸方向、Ｙ軸方向に調整を行うと、像高特性が悪いためにコマ収差や非点収差が発生してしまう。その結果、ディスク４０Ａ上のスポットサイズが大きくなってしまう。そのため、第２のレーザダイオード１２に対してＸ軸方向、Ｙ軸方向の調整をしたにもかかわらず、ジッターが小さくならない。
【００４０】
それ故に本発明の課題は、カップリングレンズを用いた光学系の場合において、第２のレーザダイオードに対するＸ軸方向、Ｙ軸方向の調整後の像高特性を改善することができる、光ピックアップ装置を提供することにある。
【００４１】
【課題を解決するための手段】
本発明は、次のような知見に基づきなされたものである。すなわち、記録密度の異なる２種類の光ディスクを記録・再生するための光ピックアップ装置において、従来、カップリングレンズ１９は光学ベースに予め固定されており、レーザダイオード１２単体は専用のホルダに固定し、Ｘ軸方向、Ｙ軸方向、Ｚ軸方向にそれぞれ動かせるようにしていた。一般的に、カップリングレンズ１９は二面とも球面であり、レーザダイオード１２とカップリングレンズ１９との間の距離も短いため、像高特性が悪い。しかしながら、それ以外の部分で像高特性が悪くなる部分が少ないので、本発明者らは、カップリングレンズ１９とレーザダイオード１２の関係のみ設計値通りとなれば、像高特性は改善されると考えた。そこで、本発明者らは、レーザダイオード１２とカップリングレンズ１９とを１つのホルダに入れて一体とし、そのホルダ自体をＸ軸方向、Ｙ軸方向、Ｚ軸方向に調整することで、光学特性を改善する事が出来ると考えた。
【００４２】
すなわち、本発明の第１の態様によれば、光学ベース（５０）と、互いに異なる第１および第２の波長を持つ第１および第２のレーザ光を、それぞれ、出射する第１および第２のレーザダイオード（１１，１２）と、第１又は第２のレーザ光である発散光を平行光にするコリメータレンズ（２８）と、このコリメータレンズの焦点距離を調整するために、第２のレーザダイオードの出射側に配置されたカップリングレンズ（１９）と、第２のレーザダイオードとカップリングレンズとを保持するホルダ（４２、４２Ａ）とを備え、このホルダを光学ベースに対して、Ｘ軸方向、Ｙ軸方向、Ｚ軸方向に調整可能にしたことを特徴とする２波長対応光ピックアップ装置が得られる。
【００４３】
上記２波長対応光ピックアップ装置において、第２のレーザ光を３ビームに分ける回折格子（１７）を備え、上記ホルダ（４２Ａ）はこの回折格子をも保持することが好ましい。また、第１のレーザダイオードは、例えば、ＤＶＤ用のレーザダイオードであり、第２のレーザダイオードは、例えば、ＣＤ用のレーザダイオードであって良い。さらに、ホルダと光学ベースとが金属製であることが望ましい。
【００４４】
本発明の第２の態様によれば、レーザダイオード（１２）と、カップリングレンズ（１９）と、レーザダイオードとカップリングレンズとを保持するホルダ（４２）と、を有するレーザダイオードユニットが得られる。
【００４５】
上記レーザダイオードユニットにおいて、レーザダイオードは、例えば、ＣＤ用のレーザダイオードであって良い。また、上記ホルダ（４２）は金属製であことが好ましい。
【００４６】
本発明の第３の態様によれば、レーザダイオード（１２）と、カップリングレンズ（１９）と、回折格子（１７）と、レーザダイオードとカップリングレンズと回折格子とを保持するホルダ（４２Ａ）と、を有するレーザダイオードユニットが得られる。
【００４７】
上記レーザダイオードユニットにおいて、レーザダイオードは、例えば、ＣＤ用のレーザダイオードであって良い。また、ホルダを光軸方向に摺動可能に保持する筒状筐体（４４）と、この筒状筐体とホルダとの間に設けられてホルダを筒状筐体に対して光軸方向に移動可能にするねじ（４６）と、を更に備えることが好ましい。さらに、ホルダと筒状筐体とが金属製であることが望ましい。
【００４８】
尚、上記括弧内の参照符号は、理解を容易にするために付したものであり、一例にすぎず、これらに限定されないのは勿論である。
【００４９】
【発明の実施の形態】
以下、本発明の実施の形態について図面を参照して詳細に説明する。
【００５０】
図３を参照すると、本発明の第１の実施の形態に係る２波長対応光ピックアップ装置は、第２のレーザダイオード１２とカップリングレンズ１９とを１つのホルダ４２に入れて（で保持して）一体とし、そのホルダ４２自体を光学ベース（後述する）に対してＸ軸方向、Ｙ軸方向、Ｚ軸方向に調整可能とした点を除いて、図１に示された従来の２波長対応光ピックアップ装置と同様の構成を有する。したがって、図１に示された２波長対応光ピックアップ装置の構成部品と同一の機能を有する部品には同一の参照符号を付し、説明の簡略化のためにそれらの説明については省略する。
【００５１】
第２のレーザダイオード１２とカップリングレンズ１９とを１つのホルダ４２に入れて（で保持して）一体としたものをＣＤ用レーザダイオードユニットと呼ぶ。
【００５２】
図示の例では、ホルダ４２と光学ベースとは共に金属製である。その結果、第２のレーザダイオード１２で発生した熱を光学ベースに十分に放熱できるような構造となっている。
【００５３】
本実施の形態において、２波長対応光ピックアップ装置を構成する各々の部品の誤差を考慮する必要がある。以下にその一例を示す。
【００５４】
１．第２のレーザダイオード１２のパッケージ外形公差は最大で片側０．１５ｍｍ
２．第２のレーザダイオード１２のパッケージ外形とその発光点のずれが０．０８ｍｍ
３．ホルダ４２の第２のレーザダイオード１２の挿入部の公差は０．０１５ｍｍ
４．カップリングレンズ１９の外形公差は最大で片側０．０１ｍｍ
５．ホルダ４２のカップリングレンズ１９の挿入部誤差は片側で最大０．０１ｍｍ
上記１〜５の合計で最大０．１３ｍｍの誤差が生じる。そのため、カップリングレンズ１９と第２のレーザダイオード１２との間でＸ軸方向、Ｙ軸方向の調整を行うか、像高特性（例えば、０．１３ｍｍ）を考慮に入れたレンズ設計を行うことが好ましい。
【００５５】
図４に、図１に図示した従来の２波長対応光ピックアップ装置と図３に図示した本発明に係る２波長対応光ピックアップ装置との光学特性を示す。図４において、横軸はＸ軸方向、Ｙ軸方向の調整量［ｍｍ］を示し、縦軸は波面収差λ（ｒｍｓ）を示す。図４中、黒塗り丸は、第２のレーザダイオード１２のみをＸ軸方向、Ｙ軸方向に調整する、従来の２波長対応光ピックアップ装置の光学特性を示し、黒塗り四角は、第２のレーザダイオード１２とカップリングレンズ１９とを一緒にＸ軸方向、Ｙ軸方向に調整する、本発明に係る２波長対応光ピックアップ装置の光学特性を示す。
【００５６】
図４から明らかなように、本発明に係る２波長対応光ピックアップ装置（図３）の方が従来の２波長対応光ピックアップ装置（図１）に比較して、波面収差を抑えることができることが分かる。すなわち、第２のレーザダイオード１２とカップリングレンズ１９とを一体にして調整を行うことで、軸上の波面収差、軸外の波面収差ともに、第２のレーザダイオード１２単体で調整を行うよりも少なくすることができる。
【００５７】
上述した実施の形態では、第２のレーザダイオード１２とカップリングレンズ１９とを１つのホルダ４２で保持した例について述べているが、後述する実施の形態のように、第２のレーザダイオード１２とカップリングレンズ１９と第２の回折格子１７とを１つのホルダで保持しても良い。
【００５８】
図５乃至図８を参照して、本発明の第２の実施の形態に係る２波長対応光ピックアップ装置について説明する。図５は２波長対応光ピックアップ装置の分解斜視図であり、図６は図５の２波長対応光ピックアップ装置に使用されるＣＤ用レーザダイオードユニットの分解斜視図であり、図７はＣＤ用レーザダイオードユニットの斜視図であり、図８はＣＤ用レーザダイオードを光学ベースに取り付けた状態を示す２波長対応光ピックアップ装置の斜視図である。
【００５９】
図６に示されるように、第２のレーザダイオード１２とカップリングレンズ１９と第２の回折格子１７とは１つの金属製ホルダ４２Ａに入れられ（で保持され）ている。このホルダ４２Ａは、金属製筒状筐体４４内にＺ軸方向（光軸方向）に摺動可能に保持される。このＺ軸方向（光軸方向）の摺動は、筒状筐体４４とホルダ４２Ａとの間に設けられたねじ４６によって行われる。
【００６０】
図６に加えて図５をも参照して、筒状筐体４４は、金属製光学ベース５０に空けられた穴（図示せず）内に、Ｘ軸方向、Ｙ軸方向に移動自在に保持される。筒状筐体４４は、一対のフランジ４４１を持ち、この各フランジ４４１には穴４４１ａが空けられている。これら穴４４１ａにＸ軸方向、Ｙ軸方向の調整用治具のピン（図示せず）を挿入することによって、ホルダ４２ＡのＸ軸方向、Ｙ軸方向の調整を行うことが出来る。
【００６１】
また、一方のフランジ４４１には、上記ねじ４６の頭４６１が収容される凹部４４１ｂが形成されている。ホルダ４２Ａもフランジ４２１を持ち、このフランジ４２１には、上記ねじ４６のねじ部４６２が螺合される雌ねじ切り孔４２１ａが形成されている。したがって、ねじ４６を回転させることにより、ホルダ４２ＡのＺ軸方向（光軸方向）の調整を行うことができる。
【００６２】
本実施の形態においても、ホルダ４２Ａ自体を光学ベース５０に対してＸ軸方向、Ｙ軸方向、Ｚ軸方向に調整することにより、光学特性を改善することが出来る。すなわち、カップリングレンズ１９と第２のレーザダイオード１２と第２の回折格子１７とを一体に調整することで、軸上の波面収差と軸外の波面収差とをともに、第２のレーザダイオード１２単体で調整するより少なくできる。
【００６３】
本発明は上述した実施の形態に限定せず、本発明の要旨を逸脱しない範囲内で種々の変更・変形が可能なのは勿論である。たとえば、本実施の形態では、記録密度の異なる２種類の光ディスクが、ＤＶＤとＣＤとの組み合せからなるものの場合について説明したが、ＤＶＤとＢｌｕｅ−ｒａｙとの組み合せからなるものにも同様に適用できる。
【００６４】
【発明の効果】
以上の説明から明らかなように、本発明によれば、第２のレーザダイオードとカップリングレンズとを１つのホルダで保持して一体とし、そのホルダ自体を光学ベースに対してＸ軸方向、Ｙ軸方向、Ｚ軸方向に調整可能としたので、波面収差を少なくでき、像高特性を改善することができるという作用効果を奏する。
【図面の簡単な説明】
【図１】従来の２波長対応光ピックアップ装置の光学系のシステム構成図（光路図）である。
【図２】記録密度が高いメディア（ＤＶＤ）と記録密度が低いメディア（ＣＤ）の場合のコリメータレンズの焦点距離を説明するための図である。
【図３】本発明の第１の実施の形態に係る２波長対応光ピックアップ装置の光学系のシステム構成図（光路図）である。
【図４】図１に図示した従来の２波長対応光ピックアップ装置と図３に図示した本発明に係る２波長対応光ピックアップ装置との光学特性を示す図である。
【図５】本発明の第２の実施の形態に係る２波長対応光ピックアップ装置の分解斜視図である。
【図６】図５に図示した２波長対応光ピックアップ装置に使用されるＣＤ用レーザダイオードユニットの分解斜視図である。
【図７】図６に示したＣＤ用レーザダイオードユニットの斜視図である。
【図８】図６に示したＣＤ用レーザダイオードを光学ベースに取り付けた状態を示す２波長対応光ピックアップ装置の斜視図である。
【符号の説明】
１１    第１のレーザダイオード
１２    第２のレーザダイオード
１７    第２の回折格子
１９    カップリングレンズ
２８    コリメータレンズ
４０    光ディスク（ＤＶＤ）
４０Ａ    光ディスク（ＣＤ）
４２，４２Ａ    ホルダ
４４    筒状筐体
４６    ねじ
５０    光学ベース
【図１】
2004227659.tif 000003
【図２】
2004227659.tif 000004
【図３】
2004227659.tif 000005
【図４】
2004227659.tif 000006
【図５】
2004227659.tif 000007
【図６】
2004227659.tif 000008
【図７】
2004227659.tif 000009
【図８】
2004227659.tif 000010